(57)【要約】      （修正有）【課題】予約物品の保管と貸出のほか、貸出物品の自己返却状態を実時間にて正確に確認し錯誤なく使用でき、作動信頼性及び活用性に優れる、ＲＦＩＤタグ付き物品の予約貸出及び自己返却システムの提供。【解決手段】ケース前面には、使用方法、処理過程及び結果を知らせるディスプレイ、スピーカー、レシート出力機、キーボード等の操作情報入力手段、物品のＲＦＩＤタグと情報を送受信する外部アンテナ及び内部アンテナを有する多数個の保管箱が備えられ、ケース内部には、外部アンテナ及び内部アンテナを介してＲＦＩＤタグの情報を読み取るリーダー機、リーダー機からの情報と物品レンタル先側の主電算機のデータベースの物品管理情報とを比較して物品の保管、貸出及び返却の適合性を確認し保管箱の施錠装置、ディスプレイ、スピーカー及びレシート出力機を作動させる制御器が備えられているＲＦＩＤタグ付き物品の予約貸出及び自己返却システムを提供する。【選択図】図１
2008123494.tif 000002
【特許請求の範囲】
【請求項１】
物品の予約貸出システムであって、ケース（１０）の前面には、使用方法、処理過程および結果を知らせるディスプレイ（１２）、スピーカー（１４）、レシート出力機（１６）、キーボードなどの操作情報入力手段（１８）、物品（２０）に付いたＲＦＩＤタグ（２２）と情報を送受信する外部アンテナ（２８）、並びに前記ＲＦＩＤタグ（２２）と情報を送受信する内部アンテナ（３６）を有する多数の保管箱（３０）とが備えられており、ケース（１０）の内部には、前記外部アンテナ（２８）および内部アンテナ（３６）を介して、前記ＲＦＩＤタグ（２２）に収録された情報を読み取るリーダー機（３８）、並びに前記リーダー機（３８）から送受信される情報と物品レンタル先側の主電算機（４０）のデータベースにある物品管理情報とを比較して物品（２０）の保管、貸出および返却の適合性を確認し、前記保管箱（３０）の施錠装置（３２）、ディスプレイ（１２）、スピーカー（１４）およびレシート出力機（１６）を作動させるＰＣなどの制御器（４２）が備えられていることを特徴とする、ＲＦＩＤタグ付き物品の予約貸出および自己返却システム。
【発明の詳細な説明】
【技術分野】
【０００１】
本発明は、半導体記憶素子と磁界アンテナとを持つＲＦＩＤタグ(Radio Frequency Identification Tag)が付いている書籍、資料、ビデオテープ、オーティオテープ、ＤＶＤ、ＣＤ−ＲＯＭ、工具、乳母車、玩具などの各種物品の予約貸出および自己返却システムに係り、より具体的には、図書館、記録保存所、ビデオおよびＤＶＤレンタルショップ、乳母車および玩具レンタルショップ、工具レンタルショップなどの各種物品レンタル先で前もって物品の貸出を予約した後、予約物品を保管箱に保管し、予約された時点に貸出者が予約物品を無人状態で自動的に貸し出すことができ、貸し出された物品を無人状態で返却し得るようにすることにより、予約された物品の貸出および返却を自動化することが可能なＲＦＩＤタグ付き物品の予約貸出および自己返却システムに関する。
【背景技術】
【０００２】
特許文献１には、物品の販売およびレンタルの際に、人員を配置し或いは郵送などによる物理的な配送を行い、顧客に商品を直接供給することなく物品を流通させるための電子ロッカー電子商取引システムが開示されている。
【特許文献１】特開２００２−３５８５７３号公報
【０００３】
前記システムは、登録事業者による販売およびレンタルの取り扱い対象である商品リストが顧客端末機に伝達され、選択された商品に関連した処理情報が顧客端末機から獲得され、商品の供給のために利用される識別番号が処理時に発行されて電子ロッカーおよび顧客端末機に伝達され、顧客が電子ロッカーに識別番号を入力すると、電子ロッカーにおいて、保有された識別番号と入力された識別番号とを比較し、これらが一致すれば解綻(unlocking)が行われるように構成されたものである。
【０００４】
特許文献２には、営業時間中に店舗へ買い物に行けない人のために、インターネットなどから注文した商品を営業外時間に店舗に設置されたロッカーで受け取れるようにし、ユーザが時間を気にせずに安価に買い物できるようにするための受取ロッカーを利用した受注システムが開示されている。
【特許文献２】特開２００３−４４７５５号公報
【０００５】
前記システムは、店舗装置がユーザの端末機から注文を受ける場合、商品とロッカーとの確保が可能か調査し、商品とロッカーとを確保可能ならば、注文番号とパスワードとを生成してユーザ端末機とロッカー制御器とに送信するための受注処理部と、受取ロッカーの各ロッカー室毎の利用状態を管理し、注文された商品のために使用するロッカー室の割り付けをするロッカー管理部とを有する。
【０００６】
前記ロッカー制御器は、注文番号とパスワードとを商品を格納するロッカー番号と関違付けて記憶しておき、ユーザが注文番号とパスワードとを入力すると、記憶した注文番号とパスワードとをそれぞれ照合し、注文番号とパスワードとが互いに一致する場合に該当するロッカー室を解錠するように構成されたものである。
【０００７】
本発明者らによる特許文献３には、物品保管所で物品の貸出予約を行った後、予約された物品を自動的に無人状態で貸し出すことが可能な物品の予約貸出システムが開示されている。
【特許文献３】韓国公開特許公報第２００４−００５２８４７号明細書
【０００８】
前述したような従来のシステムは、ロッカーやロッカー室や保管箱など（以下、「保管箱」という）が自ら投入された物品の保管適合性を確認することが可能な機能を持っていなかったので、管理者が保管箱に物品を入れ間違った場合、その物品がどの保管箱に間違って保管されているかを確認し、これを施錠するためには、保管箱全体を全て開かなければならないという欠点があった。
【０００９】
また、従来のシステムは、販売またはレンタルされた物品を返却できないように構成されていて、システムを効率よく使用することができないという欠点があった。
【発明の開示】
【発明が解決しようとする課題】
【００１０】
そこで、本発明は、上述した技術的要求に応えるためのもので、その目的とするところは、ＲＦＩＤタグを認識するアンテナが物品の保管箱毎に備えられ、ＲＦＩＤタグ付き物品を当該保管箱に正確に保管させることができるので、管理上の誤りを防止することができ、物品の予約貸出と共に物品の自己返却を行うことができて作動信頼性および活用性に非常に優れたＲＦＩＤタグ付き物品の予約貸出および自己返却システムを提供することにある。
【課題を解決するための手段】
【００１１】
上記目的を達成するために、本発明は、物品の予約貸出システムであって、ケースの前面には、使用方法、処理過程および結果を知らせるディスプレイ、スピーカー、レシート出力機、キーボードなどの操作情報入力手段、物品に付いたＲＦＩＤタグと情報を送受信する外部アンテナ、並びに前記ＲＦＩＤタグと情報を送受信する内部アンテナを有する多数個の保管箱とが備えられており、ケースの内部には、前記外部アンテナおよび内部アンテナを介して、前記ＲＦＩＤタグに収録された情報を読み取るリーダー機、並びに前記リーダー機から送受信される情報と物品レンタル先側の主電算機のデータベースにある物品管理情報とを比較して物品の保管、貸出および返却の適合性を確認し、前記保管箱の施錠装置、ディスプレイ、スピーカーおよびレシート出力機を作動させるＰＣなどの制御器が備えられていることを特徴とする、ＲＦＩＤタグ付き物品の予約貸出および自己返却システムを提供する。
【発明の効果】
【００１２】
本発明は、物品を予約貸出するシステムであって、物品に付いたＲＦＩＤタグと情報を送受信する外部アンテナがケースの前面に備えられているだけでなく、ケースの前面に配置されている多数個の保管箱毎に、前記物品に付いたＲＦＩＤタグと情報を送受信する内部アンテナが備えられており、予約された物品の保管と貸出は勿論のこと、貸し出された物品の自己返却状態を実時間にてより正確に確認しながら錯誤なく使用することができるので、作動信頼性および活用性に非常に優れるという利点がある。
【発明を実施するための最良の形態】
【００１３】
以下に添付図面を参照しながら、未発明について詳細に説明する。
【００１４】
図１および図２に示すように、未発明に係る物品の予約貸出および自己返却システムは、ケース１０の前面一側には、管理者またはユーザに本発明に係るシステムの使用方法、物品の予約貸出および返却過程、処理結果を表示するＬＣＤなどのディスプレイ１２、スピーカー１４、レシート出力機１６、キーボードなどの操作情報入力手段１８、並びに予約貸出または返却する物品２０に付いたＲＦＩＤタグ２２に収録された物品の固有番号や貸出情報などを始めとした各種情報と、ユーザの貸出カード２４にあるＲＦＩＤチップ２６に収録されたユーザ情報とを送受信する外部アンテナ２８が備えられている。
【００１５】
前記ケース１０の前面の他側には、前記物品２０の保管または返却に必要な空間を提供する多数個の保管箱３０が位置している。
【００１６】
前記保管箱３０は、電気的信号によって作動する施錠装置３２によって開閉されるドア３４を持っており、保管箱３０毎に、物品２０に付いたＲＦＩＤタグ２２に収録された物品の固有番号や貸出情報などを始めとした各種情報を送受信する内部アンテナ３６が備えられており、物品２０の保管、貸出および返却の適合性と、保管、貸出および返却状態を実時間にて把握し得るようにして、管理上の誤りまたは使用上の誤りを効果的に防止し得るように構成されている。
【００１７】
ケース１０の内部には、ケース１０の前面にある前記外部アンテナ２８と、前記保管箱３０の内部アンテナ３６に連結され、予約貸出または返却する物品２０のＲＦＩＤタグ２２またはユーザ貸出者カード２４のＲＦＩＤチップ２６に収録された情報を読み取るリーダー機３８と、このリーダー機３８を介して送受信される前記ＲＦＩＤタグ２２またはＲＦＩＤチップ２６に収録された情報と、操作情報入力手段１８を介して入力される情報とを、物品レンタル先に位置する主電算機４０のデータベースにある物品の予約貸出情報を始めとした各種物品管理情報と比較して保管、貸出および返却の適合性を確認した後、前記保管箱３０の施錠装置３２、前記ディスプレイ１２、スピーカー１４およびレシート出力機１６を作動させるマイクロプロセッサやＰＣなどの制御器４２とが備えられている。
【００１８】
このように構成された本発明に係る物品の予約貸出および自己返却システムは、図１および図２と、予約物品保管流れ図である図３とに示すように、保管すべきＲＦＩＤタグ２２付き物品２０をケース１０の前面にある外部アンテナ２８に近接させると、外部アンテナ２８とリーダー機３８とが物品２０のＲＦＩＤタグ２２に収録された情報を認識して読み取る。
【００１９】
リーダー機３８に連結された制御器４２は、物品レンタル先に位置する主電算機４０のデータベースにある物品貸出予約情報と、前記保管すべき物品２０のＲＦＩＤタグ２２から入力された情報とを比較し、保管適合性を１次に確認した後、空き保管箱の存在有無を確認して空き保管箱のリストをディスプレイ１２またはスピーカー１４を介して知らせる。
【００２０】
次いで、管理者が保管すべき物品２０の大きさや重量などを考慮してキーボードなどの操作情報入力手段１８やディスプレイ１２のタッチスクリーンなどを用いて保管箱３０を選択すると、選択した保管箱３０にある施錠装置３２が作動してドア３４が開かれる。
【００２１】
ドア３４が開かれた、選択した保管箱３０に保管すべき物品２０を積置すると、保管箱３０に備えられた内部アンテナ３６が前記保管すべき物品２０に付いたＲＦＩＤタグ２２を認識して保管適合性が２次に確認され、保管適合性が確認された正確な物品保管情報がリーダー機３８を経由して制御器４２、および物品レンタル先に位置する主電算機４０のデータベースに格納され、施錠装置３２が作動して当該保管箱３０のドア３４が閉じられる。
【００２２】
この際、管理者の錯誤によって、保管すべき物品２０を指定された保管箱に入れない場合、或いは他の物品を入れる場合には、保管誤りをディスプレイ２２またはスピーカー１４を介して実時間にて管理者に知らせる。
【００２３】
したがって、貸出が予約された物品を当該保管箱に保管する作業を錯誤なく正確に実施し得るようにする。
【００２４】
図４には貸出が予約された物品の貸出流れ図が例示されている。
【００２５】
ユーザ、すなわち貸出者がキーボードなどの操作情報入力手段１８を用いて本人確認情報を制御器４２に入力し、或いは貸出カード２４を外部アンテナ２８に近接させてリーダー機３８を経由して木人確認情報を制御器４２に入力すると、制御器４２が物品レンタル先に位置する主電算機４０に物品貸出予約情報を照会し、保管箱３０に予約された物品２０が存在しているか否かを確認する。
【００２６】
次いで、前記制御器４２によって当該保管箱３０の施錠装置３２が作動してドア３４が開かれ、貸出者が予約された物品２０の貸し出しを受ける。
【００２７】
この際、当該保管箱３０に備えられた内部アンテナ３６によって、予約された物品２０が貸出者の錯誤により開かれた当該保管箱３０に残っているか否かを確認し、貸出か否かが確認された正確な物品貸出情報がリーダー機３８を経由して制御器４２、および物品レンタル先に位置する主電算機４０のデータベースに格納され、ディスプレイ１２またはスピーカー１４を介して、予約された物品が正常に貸し出されたことを知らせ、レシート出力機１６を介して貸出レシートを発給する。
【００２８】
この際、貸出者の錯誤によって、貸し出すべき物品２０が当該保管箱３０にそのまま残っている場合、ディスプレイ１２またはスピーカー１４を介して、予約された物品が正常的に貸し出されていないことを知らせる。
【００２９】
したがって、貸出者が予約された物品の貸出を錯誤なく正確に受けることができる。
【００３０】
図１および図２と、貸出物品返却流れ図である図５とに示すように、ディスプレイ１２のタッチスクリーンまたはキーボードなどの操作情報入力手段１８を介してシステムを物品返却モードで操作すると、まず、空き保管箱の存在有無が確認される。
【００３１】
空き保管箱が存在する状態で、返却すべきＲＦＩＤタグ２２付き物品２０を外部アンテナ２８に近接させると、外部アンテナ２８とリーダー機３８とがＲＦＩＤタグ２２に収録された情報を認識して読み取る。
【００３２】
リーダー機３８に連結された制御器４２は、物品レンタル先に位置する主電算機４０のデータベースにある物品貸出情報と、前記返却すべき物品２０のＲＦＩＤタグ２２から入力された情報とを比較し、返却適合性を１次に確認した後、空き保管箱のリストをディスプレイ１２またはスピーカー１４を介して知らせる。
【００３３】
次いで、返却者がキーボードなどの操作情報入力手段１８またはディスプレイ１２のタッチスクリーンなどを用いて、返却物品２０を格納する保管箱３０を選択すると、選択した保管箱３０にある施錠装置３２が作動してドア３４が開かれる。
【００３４】
ドア３４が開かれた、選択した保管箱３０に返却すべき物品２０を積置すると、保管箱３０に備えられた内部アンテナ３６が前記返却すべき物品２０に付いたＲＦＩＤタグ２２を認識して返却適合性が２次に確認され、返却適合性が確認された正確な物品返却情報がリーダー機３８を経由して制御器４２、および物品レンタル先に位置する主電算機４０のデータベースに格納され、施錠装置３２が作動して当該保管箱３０のドア３４が閉じられる。
【００３５】
返却が正常に行われたことをディスプレイ１２またはスピーカー１４を介して知らせ、レシート出力機１６を介して返却レシートを出力する。
【００３６】
この際、返却者の錯誤によって、返却すべき物品２０を指定された保管箱に入れない場合、或いは他の物品を入れる場合には、返却誤りをディスプレイ１２またはスピーカー１４を介して実時間にて返却者に知らせる。
【００３７】
したがって、返却すべき物品を当該保管箱に返却することを錯誤なく正確に行えるようにする。
【００３８】
本発明において、例示図面には１つの外部アンテナ２８がケース１０の前面一側の中間部位に備えられたことだけが例示されているが、大きさまたは重量の異なる物品２０の接近性を容易にするために、外部アンテナ２８の位置および個数は変更または増加させることも可能である。
【図面の簡単な説明】
【００３９】
【図１】未発明に係る物品の予約貸出および自己返却システムの一実施形態を示す斜視図である。
【図２】本発明に係る物品の予約貸出および自己返却システムの構成を示す系統図である。
【図３】本発明に係るシステムの予約物品保管流れ図である。
【図４】本発明に係るシステムの予約物品貸出流れ図である。
【図５】本発明に係るシステムの貸出物品返却流れ図である。
【符号の説明】
【００４０】
１０    ケース
１２    ディスプレイ
１４    スピーカー
１６    レシート出力機
１８    操作情報入力手段
２０    物品
２２    ＲＦＩＤタグ
２８    外部アンテナ
３０    保管箱
３２    施錠装置
３６    内部アンテナ
３８    リーダー機
４０    主電算機
４２    制御器
【図１】
2008123494.tif 000003
【図２】
2008123494.tif 000004
【図３】
2008123494.tif 000005
【図４】
2008123494.tif 000006
【図５】
2008123494.tif 000007